(57)【要約】【課題】  主電源部から供給される電力により動作する主電源動作ブロックの動作時に不具合を生じさせることなく正常に動作させることができる電源制御装置を提供することにある。【解決手段】制御装置６は、副電源部３２からの電力により動作し主電源部３１に所定の制御指令を出力するサブＣＰＵ６２１を備える。サブＣＰＵ６２１は、主電源部３１をＯＦＦ状態からＯＮ状態に切り替える旨の状態切替情報を取得する切替情報取得手段６２１Ａと、状態切替情報の取得に応じて主電源部３１をＯＮ状態とする状態切替手段６２１Ｂと、主電源部３１から主電源動作ブロック６１に供給される出力電圧を監視する電圧監視手段６２１Ｃと、主電源部３１の出力電圧が第１の電圧値以下となりかつ、この状態が所定時間以上経過するまで状態切替手段６２１Ｂの動作を規制する状態切替規制手段６２１Ｄとを備える。【選択図】 図１
2006190197.tif 000002
【特許請求の範囲】
【請求項１】
所定の電力供給により動作する主電源動作ブロックに対して外部からの電力を供給する主電源部と、所定の電力供給により動作する副電源動作ブロックに対して少なくとも前記主電源部がＯＦＦ状態である待機時に外部からの電力を供給する副電源部とを備えた電源ブロックを制御する電源制御装置であって、
少なくとも前記副電源部から供給される電力により動作し、前記主電源部に所定の制御指令を出力する制御部を備え、
前記制御部は、
前記主電源部をＯＦＦ状態からＯＮ状態に切り替える旨の状態切替情報を取得する切替情報取得手段と、
前記状態切替情報の取得に応じて前記主電源部に所定の制御指令を出力し前記主電源部をＯＮ状態とする状態切替手段と、
前記主電源部から前記主電源動作ブロックに供給される出力電圧を監視する電圧監視手段と、
前記電圧監視手段にて監視された前記主電源部の出力電圧が第１の電圧値以下となりかつ、前記第１の電圧値以下となった状態が所定時間以上経過するまで前記状態切替手段による前記主電源部をＯＮ状態とする動作を規制する状態切替規制手段とを備えていることを特徴とする電源制御装置。
【請求項２】
請求項１に記載の電源制御装置において、
前記主電源動作ブロックは、前記主電源部から供給される出力電圧を監視し、前記主電源部がＯＮ状態となる際に前記出力電圧が所定の電圧範囲内である場合に該主電源動作ブロックの初期化処理を実行するパワーオンリセット手段を含んで構成され、
前記第１の電圧値は、前記パワーオンリセット手段が動作する前記所定の電圧範囲の最低電圧値以下に設定されていることを特徴とする電源制御装置。
【請求項３】
請求項１または請求項２に記載の電源制御装置において、
前記制御部は、前記主電源動作ブロックに対して所定のリセット信号を出力し前記主電源動作ブロックの初期化処理を実行するリセット手段を備え、
前記状態切替規制手段は、前記電圧監視手段にて監視された前記主電源部の出力電圧が第２の電圧値以上となりかつ、前記第２の電圧値以上となった状態が所定時間以上経過するまで前記リセット手段に前記初期化処理を実行させることを特徴とする電源制御装置。
【請求項４】
請求項３に記載の電源制御装置において、
前記第２の電圧値は、前記主電源動作ブロックの動作補償電圧の最高電圧値以上に設定されていることを特徴とする電源制御装置。
【請求項５】
所定の電力供給により動作する主電源動作ブロックに対して外部からの電力を供給する主電源部と、所定の電力供給により動作する副電源動作ブロックに対して少なくとも前記主電源部がＯＦＦ状態である待機時に外部からの電力を供給する副電源部とを備えた電源ブロックの電源制御方法であって、
前記主電源部をＯＦＦ状態からＯＮ状態に切り替える旨の状態切替情報を取得する状態切替情報取得ステップと、
前記主電源部から前記主電源動作ブロックに供給される出力電圧を監視する電圧監視ステップと、
前記電圧監視ステップにて監視した前記主電源部の出力電圧が第１の電圧値以下となりかつ、前記出力電圧が前記第１の電圧値以下となった状態が所定時間経過するまで前記主電源部がＯＮ状態となることを規制する状態切替規制ステップと、
前記状態切替規制ステップの後、前記主電源部をＯＮ状態とする状態切替ステップとを備えていることを特徴とする電源制御方法。
【請求項６】
所定の電力供給により動作する主電源動作ブロックおよび副電源動作ブロックと、
前記主電源動作ブロックに対して外部からの電力を供給する主電源部、および少なくとも前記主電源部がＯＦＦ状態である待機時に前記副電源動作ブロックに対して外部からの電力を供給する副電源部を有する電源ブロックと、
請求項１から請求項４のいずれかに記載の電源制御装置とを備えていることを特徴とする電子機器。
【請求項７】
請求項６に記載の電子機器において、
前記状態切替情報を取得した旨を報知する報知手段を備え、
前記制御部は、前記切替情報取得手段にて前記状態切替情報が取得された場合に前記報知手段に前記状態切替情報を取得した旨を報知させる報知制御手段を備え、
前記報知制御手段は、前記状態切替規制手段にて前記状態切替手段による前記主電源部をＯＮ状態とする動作が規制されている際でも前記切替情報取得手段にて前記状態切替情報が取得された場合に前記報知手段に前記状態切替情報を取得した旨を報知させることを特徴とする電子機器。
【発明の詳細な説明】
【技術分野】
【０００１】
本発明は、電源制御装置、電源制御方法、および電子機器に関する。
【背景技術】
【０００２】
従来、光源から射出された光束を画像情報に応じて変調して光学像を形成し、該光学像を拡大投射するプロジェクタが知られている（例えば、特許文献１参照）。
そして、省電力化等を目的として、例えば、利用者による操作部の電源ＯＮ／ＯＦＦ操作によりプロジェクタ全体をパワーＯＮ状態とするパワーオンモード、およびプロジェクタの主要部（主電源動作ブロック）をパワーＯＦＦ状態とするスタンバイモードの各モードを切り替え可能なプロジェクタが提案されている（例えば、特許文献１参照）。
特許文献１に記載のプロジェクタでは、該プロジェクタ全体を制御するマイコンが所定の電源に接続され、該プロジェクタの液晶プロジェクタ回路、投影用ランプ、およびファン等の主電源動作ブロックがプロジェクタ回路用電源、ランプ電源回路、およびファン電源回路等の主電源部に接続されている。そして、利用者による操作部の操作をマイコンが認識して主電源部をＯＮ状態またはＯＦＦ状態とすることで、前記主電源動作ブロックをパワーＯＮ状態とするパワーオンモード、または前記主電源動作ブロックをパワーＯＦＦ状態とするスタンバイモードに切り替えている。
【０００３】
【特許文献１】特開２００１−３０５６５９号公報
【発明の開示】
【発明が解決しようとする課題】
【０００４】
ところで、近年では、上記のような主電源部に、力率改善回路や、不慮の電源遮断でも確実にシャットダウン制御を行うための電解コンデンサ等で構成する保持回路が搭載されたものが普及している。
このように主電源部に力率改善回路や保持回路を搭載した場合には、例えば、電解コンデンサの放電時間、および充電時間等により、主電源部のパワーＯＮ時の出力電圧の立上りに要する時間や、主電源部のパワーＯＦＦ時の出力電圧の立下りに要する時間が長くなる。
そして、利用者による操作部の電源ＯＦＦ操作から短時間で電源ＯＮ操作が実施された場合には、主電源部の出力電圧が立下りきる前にまた立上り始めることとなる。このような場合には、主電源動作ブロックがパワーオンリセットを実施することができず、主電源動作ブロックの動作時に不具合が生じて正常に動作しない、という問題がある。
【０００５】
本発明の目的は、主電源部から供給される電力により動作する主電源動作ブロックの動作時に不具合を生じさせることなく正常に動作させることができる電源制御装置、電源制御方法、および電子機器を提供することにある。
【課題を解決するための手段】
【０００６】
本発明の電源制御装置は、所定の電力供給により動作する主電源動作ブロックに対して外部からの電力を供給する主電源部と、所定の電力供給により動作する副電源動作ブロックに対して少なくとも前記主電源部がＯＦＦ状態である待機時に外部からの電力を供給する副電源部とを備えた電源ブロックを制御する電源制御装置であって、少なくとも前記副電源部から供給される電力により動作し、前記主電源部に所定の制御指令を出力する制御部を備え、前記制御部は、前記主電源部をＯＦＦ状態からＯＮ状態に切り替える旨の状態切替情報を取得する切替情報取得手段と、前記状態切替情報の取得に応じて前記主電源部に所定の制御指令を出力し前記主電源部をＯＮ状態とする状態切替手段と、前記主電源部から前記主電源動作ブロックに供給される出力電圧を監視する電圧監視手段と、前記電圧監視手段にて監視された前記主電源部の出力電圧が第１の電圧値以下となりかつ、前記第１の電圧値以下となった状態が所定時間以上経過するまで前記状態切替手段による前記主電源部をＯＮ状態とする動作を規制する状態切替規制手段とを備えていることを特徴とする。
【０００７】
本発明では、切替情報取得手段は、例えば、利用者による操作部の電源ＯＮ操作が実施された際に、操作部から出力される主電源部をＯＦＦ状態からＯＮ状態に切り替える旨の状態切替情報としての操作信号を入力する。ここで、電圧監視手段は、主電源部から主電源動作ブロックに供給される出力電圧を監視する。また、状態切替規制手段は、主電源部の出力電圧が第１の電圧値以下となりかつ、第１の電圧値以下となった状態が所定時間以上経過したか否かを判定する。そして、状態切替規制手段により、主電源部の出力電圧が第１の電圧値以下となりかつ、第１の電圧値以下となった状態が所定時間以上経過したと判定された場合に、状態切替手段が主電源部をＯＮ状態とする。このため、利用者による操作部の電源ＯＦＦ操作から短時間で電源ＯＮ操作が実施された場合には、主電源部の出力電圧が第１の電圧値以下となりかつ、第１の電圧値以下となった状態が所定時間以上経過した後に、主電源部の出力電圧が立上り始めることとなる。したがって、主電源動作ブロックにパワーオンリセットを実施させることが可能となり、主電源動作ブロックの動作時に不具合が生じることなく主電源動作ブロックを正常に動作させることが可能となる。
【０００８】
本発明の電源制御装置では、前記主電源動作ブロックは、前記主電源部から供給される出力電圧を監視し、前記主電源部がＯＮ状態となる際に前記出力電圧が所定の電圧範囲内である場合に該主電源動作ブロックの初期化処理を実行するパワーオンリセット手段を含んで構成され、前記第１の電圧値は、前記パワーオンリセット手段が動作する前記所定の電圧範囲の最低電圧値以下に設定されていることが好ましい。
本発明では、利用者による操作部の電源ＯＦＦ操作から短時間で電源ＯＮ操作が実施された場合には、主電源部の出力電圧がパワーオンリセット手段の動作する最低電圧値以下となりかつ、前記最低電圧値以下となった状態が所定時間以上経過した後に、主電源部の出力電圧が立上り始めることとなる。したがって、パワーオンリセット手段にパワーオンリセット（初期化処理）を確実に実施させることができ、主電源動作ブロックの動作時に不具合が生じることなく主電源動作ブロックを正常に動作させることができる。
【０００９】
本発明の電源制御装置では、前記制御部は、前記主電源動作ブロックに対して所定のリセット信号を出力し前記主電源動作ブロックの初期化処理を実行するリセット手段を備え、前記状態切替規制手段は、前記電圧監視手段にて監視された前記主電源部の出力電圧が第２の電圧値以上となりかつ、前記第２の電圧値以上となった状態が所定時間以上経過するまで前記リセット手段に前記初期化処理を実行させることが好ましい。
ところで、従来、主電源動作ブロックの初期化処理としては、内部のパワーオンリセット手段等による初期化処理の他、外部からのリセット信号に応じて初期化処理を実行するものがある。そして、従来では、主電源部をＯＮ状態とする時点から所定時間の間、リセット信号を主電源動作ブロックに出力する構成が一般的に採用されている。このような構成では、上述したように、主電源部に力率改善回路や保持回路が搭載され、主電源部のパワーＯＮ時の出力電圧の立上りに要する時間が長くなった場合には、主電源動作ブロックの有効リセット時間が確保できない。すなわち、主電源動作ブロックの初期化処理を良好に実施できない。
【００１０】
本発明では、状態切替手段により主電源部をＯＦＦ状態からＯＮ状態に切り替えられた際に、電圧監視手段が主電源部から主電源動作ブロックに供給される出力電圧を監視する。そして、状態切替規制手段は、主電源部の出力電圧が第２の電圧値以上となりかつ、第２の電圧値以上となった状態が所定時間以上経過するまで制御部を構成するリセット手段に主電源動作ブロックの初期化処理を実行させる。このため、主電源部に力率改善回路や保持回路が搭載され、主電源部のパワーＯＮ時の出力電圧の立上りに要する時間が長くなった場合であっても、主電源動作ブロックの有効リセット時間を良好に確保できる。すなわち、主電源動作ブロックの初期化処理を良好に実施できる。
【００１１】
本発明の電源制御装置では、前記第２の電圧値は、前記主電源動作ブロックの動作補償電圧の最高電圧値以上に設定されていることが好ましい。
本発明によれば、主電源部の出力電圧が主電源動作ブロックの動作補償電圧の最高電圧値以上となりかつ、前記最高電圧値以上となった状態が所定時間以上経過するまでリセット手段に主電源動作ブロックの初期化処理を実行させるので、前記所定時間が有効リセット時間となり、主電源動作ブロックの有効リセット時間を効果的に確保できる。すなわち、主電源動作ブロックの初期化処理を効率的に実施できる。
また、前記所定時間を最低限必要なリセット時間に設定しておけば、リセット時間を不要に長くすることがなく、例えば、利用者により電源ＯＮ／ＯＦＦ操作が繰り返し実施された場合であっても、主電源動作ブロックの起動時間を短くでき、利用者にとって非常に使い勝手のよいものとなる。
【００１２】
本発明の電源制御方法は、所定の電力供給により動作する主電源動作ブロックに対して外部からの電力を供給する主電源部と、所定の電力供給により動作する副電源動作ブロックに対して少なくとも前記主電源部がＯＦＦ状態である待機時に外部からの電力を供給する副電源部とを備えた電源ブロックの電源制御方法であって、前記主電源部をＯＦＦ状態からＯＮ状態に切り替える旨の状態切替情報を取得する状態切替情報取得ステップと、前記主電源部から前記主電源動作ブロックに供給される出力電圧を監視する電圧監視ステップと、前記電圧監視ステップにて監視した前記主電源部の出力電圧が第１の電圧値以下となりかつ、前記出力電圧が前記第１の電圧値以下となった状態が所定時間経過するまで前記主電源部がＯＮ状態となることを規制する状態切替規制ステップと、前記状態切替規制ステップの後、前記主電源部をＯＮ状態とする状態切替ステップとを備えていることを特徴とする。
本発明によれば、電源制御方法は、状態切替情報取得ステップと、電圧監視ステップと、状態切替規制ステップと、状態切替ステップとを備えているので、上述した電源制御装置と同様の作用・効果を享受できる。
【００１３】
本発明の電子機器は、所定の電力供給により動作する主電源動作ブロックおよび副電源動作ブロックと、前記主電源動作ブロックに対して外部からの電力を供給する主電源部、および少なくとも前記主電源部がＯＦＦ状態である待機時に前記副電源動作ブロックに対して外部からの電力を供給する副電源部を有する電源ブロックと、上述した電源制御装置とを備えていることを特徴とする。
本発明によれば、電子機器は、主電源動作ブロックおよび副電源動作ブロックと、電源ブロックと、上述した電源制御装置とを備えているので、上述した電源制御装置と同様の作用・効果を享受できる。
また、主電源動作ブロックが正常に動作するので、電子機器を安定して動作させることができる。
【００１４】
本発明の電子機器では、前記状態切替情報を取得した旨を報知する報知手段を備え、前記制御部は、前記切替情報取得手段にて前記状態切替情報が取得された場合に前記報知手段に前記状態切替情報を取得した旨を報知させる報知制御手段を備え、前記報知制御手段は、前記状態切替規制手段にて前記状態切替手段による前記主電源部をＯＮ状態とする動作が規制されている際でも前記切替情報取得手段にて前記状態切替情報が取得された場合に前記報知手段に前記状態切替情報を取得した旨を報知させることが好ましい。
ところで、利用者による操作部の電源ＯＮ操作が実施された際に、該電源ＯＮ操作を実施した旨を利用者に報知する構成を採用することで、利用者は、電源ＯＮ操作が電子機器に判別されたことを認識し、操作部の電源ＯＮ操作を何度も実施することがなく、利用者にとって非常に使い勝手のよい電子機器となる。例えば、主電源部がＯＮ状態となった時点で、電源ＯＮ操作を実施した旨を報知する構成が考えられる。しかしながら、このような構成において、状態切替規制手段にて状態切替手段による主電源部をＯＮ状態とする動作が規制されている状態では、電源ＯＮ操作を実施した旨を利用者に報知できないこととなる。そして、利用者は、電源ＯＮ操作を実施したにも拘らず、電源ＯＮ操作を実施した旨を電子機器が報知しないため、操作部の電源ＯＮ操作を何度も実施してしまい、電子機器の利便性の向上が図れない。
本発明によれば、報知制御手段は、状態切替規制手段にて状態切替手段による主電源部をＯＮ状態とする動作が規制されている際でも切替情報取得手段にて状態切替情報が取得された場合に報知手段に状態切替情報を取得した旨を報知させるので、利用者に電源ＯＮ操作を何度も実施させることがなく、利便性の向上が図れる。
【発明を実施するための最良の形態】
【００１５】
以下、本発明の実施の一形態を図面に基づいて説明する。
〔プロジェクタの構成〕
図１は、本実施形態に係る電子機器としてのプロジェクタ１の概略構成を示すブロック図である。
プロジェクタ１は、光源から射出される光束を画像情報に応じて変調して光学像を形成し、形成した光学像をスクリーンＳｃ（図１）上に拡大投射するものである。このプロジェクタ１は、図１に示すように、操作部２と、電源ブロック３と、画像形成部４と、報知手段としてのＬＥＤ(Light Emitting Diode)５と、電源制御装置としての制御装置６とで大略構成されている。
【００１６】
操作部２は、図示しないリモートコントローラや、プロジェクタ１に備えられたボタンやキーにより構成され、利用者による操作を認識して所定の操作信号を制御装置６に出力する。この操作部２は、例えば、利用者にプロジェクタ１の電源ＯＮ／ＯＦＦ操作（電源ブロック３の後述する主電源部のＯＮ状態、ＯＦＦ状態（スタンバイ状態）を切り替える旨の操作）を実施させる電源ＯＮ／ＯＦＦ入力部を有し、前記電源ＯＮ／ＯＦＦ操作を認識して状態切替情報としての所定の操作信号を制御装置６に出力する。なお、この操作部２には、前記電源ＯＮ／ＯＦＦ入力部の他、利用者に音量を調整する旨の入力操作を実施させる音量調整入力部、利用者に投影画像の画質を調整する旨の入力操作を実施させる画質調整入力部等を有している。
【００１７】
電源ブロック３は、電源プラグ３Ａを介して商用交流電源を入力して所定のレベルに安定した直流電圧を生成して制御装置６等に供給する電源変換回路である。この電源ブロック３は、図１に示すように、制御装置６の後述する主電源動作ブロックに所定の電力を供給して動作させる主電源部３１と、制御装置６の後述する副電源動作ブロックに所定の電力を供給して動作させる副電源部３２とを備える。
主電源部３１は、制御装置６による制御の下、所定の直流電圧を供給する状態（ＯＮ状態）、および所定の直流電圧の供給を停止する状態（スタンバイ状態）が切り替えられる。この主電源部３１は、図１に示すように、ＰＦＣ(Power Factor Controller)３１１と、主電源生成部３１２とを備える。
ＰＦＣ３１１は、外部から供給された商用交流電源に対して、高調波を抑制し力率改善を図る、所謂、力率改善回路である。このＰＦＣ３１１を主電源部３１に搭載することで、力率を改善して後述する主電源生成部３１２にて実施するＡＣ／ＤＣ変換の際に変換される有効電力を大きくする。
【００１８】
主電源生成部３１２は、ＰＦＣ３１１にて高調波抑制がなされた商用交流電源に対して、ＡＣ／ＤＣ変換を実施し、所定の直流電圧を生成して前記主電源動作ブロックに出力する。また、主電源生成部３１２は、生成した所定の直流電圧を、制御装置６を構成する後述するサブＣＰＵにも出力する。この主電源生成部３１２としては、例えば、交流電流を整流して直流電流に変換するダイオードブリッジ等を有する整流回路や、入力した電流の電圧を所定の電圧に変換するＤＣ／ＤＣコンバータ等にて構成できる。
また、ＰＦＣ３１１の後段、および主電源生成部３１２の後段には、図１に示すように、グランドとの間に電解コンデンサ３１３がそれぞれ配置されている。そして、これら電解コンデンサ３１３を配置することで、電源プラグ３Ａが不用意に抜かれた場合等に、充電した電力にて電源ブロック３の電源遮断時間を遅らせ、プロジェクタ１の停止（シャットダウン）動作を確実に実施させている。
【００１９】
副電源部３２は、電源プラグ３Ａを介して商用交流電源を入力して所定のレベルに安定した直流電圧を生成して前記副電源動作ブロックに出力する。この副電源部３２としては、例えば、上述した主電源部３１を構成する主電源生成部３１２と同様に、交流電流を整流して直流電流に変換するダイオードブリッジ等を有する整流回路や、入力した電流の電圧を所定の電圧に変換するＤＣ／ＤＣコンバータ等にて構成できる。
【００２０】
画像形成部４は、制御装置６による制御の下、光学像を形成してスクリーンＳｃに拡大投射する。この画像形成部４は、図１に示すように、光源装置４１と、液晶ライトバルブ４２と、投射光学装置４３等を備える。
光源装置４１は、制御装置６による制御の下、光束を液晶ライトバルブ４２に向けて射出するものであり、超高圧水銀ランプで構成された光源ランプを有している。なお、光源ランプとしては、超高圧水銀ランプに限らず、メタルハライドランプ、キセノンランプ等の他の放電発光型の光源ランプを採用してもよい。さらに、放電発光型の光源ランプに限らず、発光ダイオードや有機ＥＬ(Electro Luminescence)素子、シリコン発光素子等の各種自己発光素子を採用してもよい。
【００２１】
液晶ライトバルブ４２は、透過型の液晶パネルであり、制御装置６からの駆動信号に基づいて、液晶セル（図示略）に封入された液晶分子の配列を変化させ、光源装置４１から射出された光束を、透過若しくは遮断することにより画像情報に応じた光学像を投射光学装置４３に射出する。
投射光学装置４３は、液晶ライトバルブ４２から射出された光学像をスクリーンＳｃに向けて拡大投射する。
なお、図示は省略したが、プロジェクタ１は、ＲＧＢの３色に対応する３枚の液晶ライトバルブ４２を備えている。また、光源装置４１は、光源光を３色の光に分離する色光分離光学系を備えている。さらに、投射光学装置４３は、３色の画像光を合成してカラー画像を表す光学像を生成する合成光学系を有している。なお、このような光学系の構成については、種々の一般的なプロジェクタの光学系の構成が利用可能である。
【００２２】
ＬＥＤ５は、一般的なＬＥＤで構成され、制御装置６による制御の下、利用者により操作部２の電源ＯＮ操作が実施された際に点滅または点灯する。なお、本実施形態では、報知手段をＬＥＤ５にて構成していたが、利用者により操作部２の電源ＯＮ操作が実施された旨を報知すればいずれの構成でもよく、例えば、ＬＥＤ以外の表示装置や、スピーカ等により音声で報知する構成としてもよい。
制御装置６は、電源ブロック３、画像形成部４、およびＬＥＤ５等を制御する。この制御装置６は、図１に示すように、主電源動作ブロック６１と、副電源動作ブロック６２とを備える。そして、これら主電源動作ブロック６１および副電源動作ブロック６２は、図１に示すように、バス６４、およびブリッジ回路６３を介したバス６５により接続され、各構成要素間６１，６２間で必要な情報が伝送可能なように構成されている。
【００２３】
主電源動作ブロック６１は、主電源部３１から出力される直流電圧により動作し、プロジェクタ１全体（主に画像形成部４）を制御する。この主電源動作ブロック６１は、図１に示すように、メインＣＰＵ(Central Processing Unit)６１１と、不揮発性メモリ６１２と、ランプ駆動回路６１３と、液晶パネル駆動回路６１４等を備える。
不揮発性メモリ６１２は、メインＣＰＵ６１１の動作プログラム、副電源動作ブロック６２を構成する後述するサブＣＰＵの動作プログラムや各種データを記憶している。
メインＣＰＵ６１１は、不揮発性メモリ６１２に記憶されたメインＣＰＵ６１１の動作プログラムにしたがって所定の処理を実行し、プロジェクタ１全体の制御、主に、ランプ駆動回路６１３および液晶パネル駆動回路６１４等を制御する。
【００２４】
ランプ駆動回路６１３は、メインＣＰＵ６１１による制御の下、所定の駆動周波数にしたがって駆動信号を生成し、光源装置４１を駆動する。このランプ駆動回路６１３としては、例えば、光源装置４１の点灯に適合した所要の周波数、レベルによる電圧パルスに変換するダウンコンバータや、変換された電圧パルスを昇圧して光源装置４１に供給するイグナイタ等で構成できる。
液晶パネル駆動回路６１４は、メインＣＰＵ６１１による制御の下、パーソナルコンピュータあるいはテレビジョンチューナ等から入力した映像信号、あるいはＤＶＤ（Digital Versatile Disc）等の外部記録媒体から読み出した映像信号に対して所定の処理を施し、処理を施した画像に対応する駆動信号を液晶ライトバルブ４２に出力して所定の光学像を形成させる。この液晶パネル駆動回路６１４における前記所定の処理としては、例えば、拡大・縮小等の画像サイズ調整処理、台形歪補正処理、画質調整処理、ガンマ補正処理等がある。これらの各処理は、周知の技術であるので詳細な説明は省略する。この液晶パネル駆動回路６１４としては、入力された映像信号について所要の信号処理を施す信号処理回路等で構成できる。
【００２５】
上述したメインＣＰＵ６１１、ランプ駆動回路６１３、液晶パネル駆動回路６１４は、図１に示すように、パワーオンリセット手段６１１Ａ，６１３Ａ，６１４Ａが内蔵されている。
図２は、パワーオンリセット手段の構成を模式的に示すブロック図である。
なお、パワーオンリセット手段６１１Ａ，６１３Ａ，６１４Ａの構成は、略同様であり、以下では、パワーオンリセット手段６１１Ａの構成のみを説明する。
パワーオンリセット手段６１１Ａは、利用者により操作部２の電源ＯＮ操作が実施された際に、メインＣＰＵ６１１を初期化する。初期化の具体的な例を挙げれば、従前の動作時に例えば、不揮発性メモリ６１２から読み出した情報や、動作上必要なデータ等の情報が記憶されたメインＣＰＵ６１１内のレジスタ６１１Ｂを初期化する。このパワーオンリセット手段６１１Ａは、図２に示すように、電圧検出部６１１Ａ１と、初期化部６１１Ａ２とを備える。
電圧検出部６１１Ａ１は、主電源部３１がスタンバイ状態からＯＮ状態に切り替えられる際に、主電源部３１から出力される直流電圧を検出し、検出した直流電圧が所定の電圧範囲内である場合に、所定の信号を初期化部６１１Ａ２に出力する。
初期化部６１１Ａ２は、電圧検出部６１１Ａ１から出力された信号に応じてリセット信号を生成し、レジスタ６１１Ｂ全体など、メインＣＰＵ６１１を初期化する。
【００２６】
副電源動作ブロック６２は、少なくとも副電源部３２から出力される直流電圧により動作するものであり、制御部としてのサブＣＰＵ６２１等を備える。
サブＣＰＵ６２１は、主電源動作ブロック６１の不揮発性メモリ６１２に記憶されたサブＣＰＵ６２１の動作プログラムにしたがって所定の処理を実行し、例えば主電源部３１および主電源動作ブロック６１に所定の制御指令を出力する。このサブＣＰＵ６２１は、図１に示すように、切替情報取得手段６２１Ａと、状態切替手段６２１Ｂと、電圧監視手段６２１Ｃと、状態切替規制手段６２１Ｄと、リセット手段６２１Ｅと、報知制御手段６２１Ｆ等を備える。
【００２７】
切替情報取得手段６２１Ａは、利用者により操作され操作部２から出力された操作信号を入力する部分であり、例えば、上述した状態切替情報としての所定の操作信号を入力し、該操作信号を認識して所定の信号を状態切替手段６２１Ｂに出力する。また、切替情報取得手段６２１Ａは、主電源部３１をスタンバイ状態からＯＮ状態に切り替える旨の状態切替情報としての所定の操作信号を入力した場合には、所定の信号を報知制御手段６２１Ｆにも出力する。
状態切替手段６２１Ｂは、切替情報取得手段６２１Ａから出力される信号に応じて、主電源部３１のＯＮ状態およびスタンバイ状態の切り替えを実施する。具体的には、状態切替手段６２１Ｂは、主電源部３１をＯＮ状態とする場合にはＨレベルの制御信号を主電源部３１に出力し、主電源部３１をスタンバイ状態とする場合にはＬレベルの制御信号を主電源部３１に出力する。
【００２８】
電圧監視手段６２１Ｃは、主電源部３１から出力される直流電圧に所定の処理を施して該直流電圧の出力電圧値Ｖを算出する。そして、電圧監視手段６２１Ｃは、算出した出力電圧値Ｖに応じた所定の信号を状態切替規制手段６２１Ｄに出力する。
状態切替規制手段６２１Ｄは、電圧監視手段６２１Ｃにて算出された出力電圧値Ｖが第１の電圧値ＶＬ以下となりかつ、第１の電圧値ＶＬ以下となった状態が所定時間以上経過するまで、状態切替手段６２１Ｂによる主電源部３１をスタンバイ状態からＯＮ状態に切り替える動作を規制する。本実施形態では、前記第１の電圧値ＶＬは、上述したパワーオンリセット手段６１１Ａ，６１３Ａ，６１４Ａが動作する所定の電圧範囲の最低電圧値に設定されている。なお、前記第１の電圧値ＶＬを前記最低電圧値に設定する構成に限らず、前記第１の電圧値ＶＬは、前記最低電圧値以下に設定されていればよい。
また、状態切替規制手段６２１Ｄは、主電源部３１がＯＮ状態とされた直流電圧の立上り時に、電圧監視手段６２１Ｃにて算出された出力電圧値Ｖが第２の電圧値ＶＨ以上となりかつ、第２の電圧値ＶＨ以上となった状態が所定時間以上経過するまで、リセット手段６２１Ｅによる後述する初期化処理を実行させる。なお、本実施形態では、前記第２の電圧値ＶＨは、上述した主電源動作ブロック６１の動作補償電圧の最高電圧値に設定されている。なお、前記第２の電圧値ＶＨを前記最高電圧値に設定する構成に限らず、前記第２の電圧値ＶＨは、前記最高電圧値以上に設定されていればよい。
【００２９】
リセット手段６２１Ｅは、主電源部３１の動作状態に応じたリセット信号を主電源動作ブロック６１に出力し、主電源動作ブロック６１の初期化処理を実行する。具体的には、リセット手段６２１Ｅは、ＨレベルあるいはＬレベルのリセット信号を主電源動作ブロック６１に出力可能に構成されている。そして、Ｌレベルのリセット信号を出力している際に、上述したパワーオンリセット手段６１１Ａ，６１３Ａ，６１４Ａと同様に、図２に示すように、主電源動作ブロック６１の各構成部品６１１，６１３，６１４の初期化処理を実行する。また、このリセット手段６２１Ｅは、主電源部３１がＯＮ状態とされた直流電圧の立上り時に、上述したように、出力電圧値Ｖが第２の電圧値ＶＨ以上となりかつ、第２の電圧値ＶＨ以上となった状態が所定時間以上経過するまで、Ｌレベルのリセット信号を主電源動作ブロック６１に出力する。
【００３０】
報知制御手段６２１Ｆは、切替情報取得手段６２１Ａから出力される信号に応じて、ＬＥＤ５を駆動し、利用者により操作部２の電源ＯＮ操作が実施された旨を報知させる。すなわち、この報知制御手段６２１Ｆは、状態切替規制手段６２１Ｄにて状態切替手段６２１Ｂによる主電源部３１をスタンバイ状態からＯＮ状態に切り替える動作が規制されている際でも、ＬＥＤ５を駆動して利用者により操作部２の電源ＯＮ操作が実施された旨を報知させる。
【００３１】
〔プロジェクタの動作〕
次に、上述したプロジェクタ１の動作を説明する。なお、以下では、制御装置６による電源ブロック３の電源制御方法を主に説明し、その他の動作については説明を省略する。
図３は、制御装置６による電源制御方法を説明するためのフローチャートである。
図４は、制御装置６による電源制御方法を説明するための図である。具体的に、図４は、主電源部３１がスタンバイ状態とされた時点から短時間で、利用者により操作部２の電源ＯＮ操作が実施された場合での電源ブロック３の出力電圧、状態切替手段６２１Ｂからの制御信号、およびリセット手段６２１Ｅからのリセット信号のタイムチャートである。
主電源部３１がＯＮ状態であるプロジェクタ１の動作時において、切替情報取得手段６２１Ａは、主電源部３１をＯＮ状態からスタンバイ状態に切り替える旨の状態切替情報としての操作信号を入力したか否か、すなわち、利用者により操作部２の電源ＯＦＦ操作が実施されたか否かを判定する（ステップＳ１）。
ステップＳ１において、切替情報取得手段６２１Ａは、「Ｙ」と判定した場合、すなわち、利用者により操作部２の電源ＯＦＦ操作が実施された場合には、操作部２からの操作信号を認識して所定の信号を状態切替手段６２１Ｂに出力する（ステップＳ２）。
【００３２】
一方、電源プラグ３Ａがコンセント等に挿し込まれ、電源プラグ３Ａを介して商用交流電源が電源ブロック３に入力されると、電源ブロック３がＯＮ状態となる（ステップＳ３）。
ステップＳ３の後、サブＣＰＵ６２１は、バス６４またはバス６５を介して、不揮発性メモリ６１２に記憶されたサブＣＰＵ６２１用の動作プログラムを読み込み（ステップＳ４）、読み込んだ動作プログラムにしたがって、主電源動作ブロック６１に所定の制御指令を出力し、主電源動作ブロック６１を構成するメインＣＰＵ６１１、ランプ駆動回路６１３、および液晶パネル駆動回路６１４等がＯＮ状態となることを規制する。
【００３３】
そして、ステップＳ２またはステップＳ４の後、状態切替手段６２１Ｂは、図４に示すように、主電源部３１に出力するＨレベルの制御信号をＬレベルの制御信号に移行し、主電源部３１をスタンバイ状態に設定する（ステップＳ５）。この際、主電源部３１は、図４に示すように、状態切替手段６２１Ｂから出力されるＨレベルの制御信号からＬレベルの制御信号に移行し始める時点から所定の時間Ｔ１経過した後、出力する直流電圧を徐々に立下げ始める。
ステップＳ５の後、リセット手段６２１Ｅは、図４に示すように、主電源部３１から出力される直流電圧の低下に応じて、主電源動作ブロック６１に出力するＨレベルのリセット信号をＬレベルのリセット信号に移行する（ステップＳ６）。
【００３４】
ステップＳ６の後、切替情報取得手段６２１Ａは、主電源部３１をスタンバイ状態からＯＮ状態に切り替える旨の状態切替情報としての操作信号を入力したか否か、すなわち、利用者による操作部２の電源ＯＮ操作が実施されたか否かを判定する（ステップＳ７）。
ステップＳ７において、切替情報取得手段６２１Ａは、「Ｙ」と判定した場合、すなわち、利用者による操作部２の電源ＯＮ操作が実施された場合には、操作部２からの操作信号を認識して所定の信号を状態切替手段６２１Ｂおよび報知制御手段６２１Ｆに出力する（ステップＳ８：状態切替情報取得ステップ）。
【００３５】
ステップＳ８の後、報知制御手段６２１Ｆは、切替情報取得手段６２１Ａから出力される信号に応じて、ＬＥＤ５を駆動する（ステップＳ９）。そして、利用者は、ＬＥＤ５の点滅または点灯により、電源ＯＮ操作を実施した旨を認識する。
ステップＳ９の後、電圧監視手段６２１Ｃは、主電源部３１から出力される直流電圧を監視し、該直流電圧に所定の処理を施して該直流電圧の出力電圧値Ｖを算出する（ステップＳ１０：電圧監視ステップ）。そして、電圧監視手段６２１Ｃは、算出した出力電圧値Ｖに応じた所定の信号を状態切替規制手段６２１Ｄに出力する。
【００３６】
ステップＳ１０の後、状態切替規制手段６２１Ｄは、電圧監視手段６２１Ｃにて算出された出力電圧値Ｖが第１の電圧値ＶＬ（図４）以下となっているか否かを判定する（ステップＳ１１：状態切替規制ステップ）。
ステップＳ１１において、状態切替規制手段６２１Ｄは、「Ｎ」と判定した場合、すなわち、出力電圧値Ｖが第１の電圧値ＶＬ以下となっていないと判定した場合には、再度、ステップＳ１０に戻る。
そして、ステップＳ１１において、状態切替規制手段６２１Ｄは、「Ｙ」と判定した場合、すなわち、出力電圧値Ｖが第１の電圧値ＶＬ以下となっていると判定した場合には、図示しないタイマを駆動して出力電圧値Ｖが第１の電圧値ＶＬ以下となった状態が継続した時間を測定し、測定した時間が所定時間以上であるか否かを判定する（ステップＳ１２：状態切替規制ステップ）。
【００３７】
ステップＳ１２において、状態切替規制手段６２１Ｄは、「Ｎ」と判定した場合、すなわち、出力電圧値Ｖが第１の電圧値ＶＬ以下となった状態が所定時間以上継続していないと判定した場合には、再度、ステップＳ１０に戻る。
そして、ステップＳ１２において、状態切替規制手段６２１Ｄは、「Ｙ」と判定した場合、すなわち、出力電圧値Ｖが第１の電圧値ＶＬ以下となった状態が所定時間以上継続したと判定した場合には、状態切替手段６２１Ｂに所定の信号を出力し、図４に示すように、状態切替手段６２１Ｂに、主電源部３１に出力するＬレベルの制御信号をＨレベルの制御信号に移行させ、主電源部３１をＯＮ状態に設定する（ステップＳ１３：状態切替ステップ）。この際、主電源部３１は、図４に示すように、状態切替手段６２１Ｂから出力されるＬレベルの制御信号からＨレベルの制御信号の移行に応じて、出力する直流電圧を徐々に立上げ始める。
【００３８】
ステップＳ１３の後、主電源動作ブロック６１の各パワーオンリセット手段６１１Ａ，６１３Ａ，６１４Ａが動作し、主電源動作ブロック６１の初期化処理を実行する（ステップＳ１４）。
ステップＳ１４の後、電圧監視手段６２１Ｃは、ステップＳ１０と同様に、主電源部３１から出力される直流電圧に所定の処理を施して該直流電圧の出力電圧値Ｖを算出する（ステップＳ１５）。そして、電圧監視手段６２１Ｃは、算出した出力電圧値Ｖに応じた所定の信号を状態切替規制手段６２１Ｄに出力する。
【００３９】
ステップＳ１５の後、状態切替規制手段６２１Ｄは、電圧監視手段６２１Ｃにて算出された出力電圧値Ｖが第２の電圧値ＶＨ（図４）以上となっているか否かを判定する（ステップＳ１６）。
ステップＳ１６において、状態切替規制手段６２１Ｄは、「Ｎ」と判定した場合、すなわち、出力電圧値Ｖが第２の電圧値ＶＨ以上となっていないと判定した場合には、再度、ステップＳ１５に戻る。
そして、ステップＳ１６において、状態切替規制手段６２１Ｄは、「Ｙ」と判定した場合、すなわち、出力電圧値Ｖが第２の電圧値ＶＨ以上となっていると判定した場合には、図示しないタイマを駆動して出力電圧値Ｖが第２の電圧値ＶＨ以上となった状態が継続した時間を測定し、測定した時間が所定時間Ｔ２（図４）以上であるか否かを判定する（ステップＳ１７）。
【００４０】
ステップＳ１７において、状態切替規制手段６２１Ｄは、「Ｎ」と判定した場合、すなわち、出力電圧値Ｖが第２の電圧値ＶＨ以上となった状態が所定時間Ｔ２以上継続していないと判定した場合には、再度、ステップＳ１５に戻る。
そして、ステップＳ１７において、状態切替規制手段６２１Ｄは、「Ｙ」と判定した場合、すなわち、出力電圧値Ｖが第２の電圧値ＶＨ以上となった状態が所定時間Ｔ２以上継続したと判定した場合には、リセット手段６２１Ｅに所定の信号を出力し、図４に示すように、リセット手段６２１Ｅに、主電源動作ブロック６１に出力するＬレベルのリセット信号をＨレベルのリセット信号に移行させる（ステップＳ１８）。
すなわち、第２の電圧値ＶＨが上述したように主電源動作ブロック６１の動作補償電圧の最高電圧値に設定されているので、所定時間Ｔ２の間、Ｌレベルのリセット信号が主電源動作ブロック６１に出力されて主電源動作ブロック６１を構成するメインＣＰＵ６１１、ランプ駆動回路６１３、および液晶パネル駆動回路６１４が初期化される。
【００４１】
図５ないし図８は、上述した本実施形態における効果を説明するための図である。具体的に、図５は、主電源部３１にＰＦＣ３１１および電解コンデンサ３１３が搭載されておらず、さらに、サブＣＰＵ６２１に電圧監視手段６２１Ｃおよび状態切替規制手段６２１Ｄが搭載されていない場合での電源ブロック３の出力電圧、状態切替手段６２１Ｂからの制御信号、およびリセット手段６２１Ｅからのリセット信号のタイムチャートである。図６は、サブＣＰＵ６２１に電圧監視手段６２１Ｃおよび状態切替規制手段６２１Ｄが搭載されていない場合での電源ブロック３の出力電圧、状態切替手段６２１Ｂからの制御信号、およびリセット手段６２１Ｅからのリセット信号のタイムチャートである。図７は、図６の構成において、主電源部３１がスタンバイ状態とされた時点から短時間で、利用者により操作部２の電源ＯＮ操作が実施された場合での電源ブロック３の出力電圧、状態切替手段６２１Ｂからの制御信号、およびリセット手段６２１Ｅからのリセット信号のタイムチャートである。図８は、本実施形態の構成での電源ブロック３の出力電圧、状態切替手段６２１Ｂからの制御信号、およびリセット手段６２１Ｅからのリセット信号のタイムチャートである。
【００４２】
図５および図６を比較した場合には、主電源部３１にＰＦＣ３１１や電解コンデンサ３１３を搭載した場合には、例えば、電解コンデンサ３１３の放電時間、および充電時間等により、主電源部３１のパワーＯＮ時の出力電圧の立上りに要する時間や、主電源部３１のパワーＯＦＦ時の出力電圧の立下りに要する時間が長くなることが分かる。
そして、主電源部３１にＰＦＣ３１１や電解コンデンサ３１３を搭載した場合には、図７に示すように、利用者による操作部２の電源ＯＦＦ操作から短時間で電源ＯＮ操作が実施された際、主電源部３１の出力電圧がパワーオンリセット手段６１１Ａ，６１３Ａ，６１４Ａの動作する所定の電圧範囲ＶＬ１〜ＶＬまで立下る前にまた立上り始めることとなる。このため、パワーオンリセット手段６１１Ａ，６１３Ａ，６１４Ａがパワーオンリセットを実施することができず、主電源動作ブロック６１の動作時に不具合が生じて正常に動作しない。
【００４３】
本実施形態では、切替情報取得手段６２１Ａは、利用者による操作部の電源ＯＮ操作が実施された際に、操作部２から出力される主電源部３１をスタンバイ状態からＯＮ状態に切り替える旨の状態切替情報としての操作信号を入力する。ここで、電圧監視手段６２１Ｃは、主電源部３１から主電源動作ブロック６１に供給される直流電圧を監視する。また、状態切替規制手段６２１Ｄは、主電源部３１の出力電圧値Ｖが第１の電圧値ＶＬ以下となりかつ、第１の電圧値ＶＬ以下となった状態が所定時間以上経過したか否かを判定する。そして、状態切替規制手段６２１Ｄにより、主電源部３１の出力電圧値Ｖが第１の電圧値ＶＬ以下となりかつ、第１の電圧値ＶＬ以下となった状態が所定時間以上経過したと判定された場合に、状態切替手段６２１Ｂが主電源部３１をＯＮ状態とする。このため、利用者による操作部２の電源ＯＦＦ操作から短時間で電源ＯＮ操作が実施された場合には、主電源部３１の出力電圧値Ｖが第１の電圧値ＶＬ以下となりかつ、第１の電圧値ＶＬ以下となった状態が所定時間以上経過した後に、主電源部３１の出力電圧が立上り始めることとなる。したがって、パワーオンリセット手段６１１Ａ，６１３Ａ，６１４Ａにパワーオンリセットを実施させることができ、主電源動作ブロック６１の動作時に不具合が生じることなく主電源動作ブロック６１を正常に動作させることができる。また、主電源動作ブロック６１を正常に動作させることができるため、プロジェクタ１を安定して動作させることができる。
ここで、第１の電圧値ＶＬがパワーオンリセット手段６１１Ａ，６１３Ａ，６１４Ａの動作する所定の電圧範囲の最低電圧値に設定されているので、パワーオンリセット手段６１１Ａ，６１３Ａ，６１４Ａにパワーオンリセットを確実に実施させることができる。
【００４４】
ところで、従来では、図５または図６に示すように、主電源部３１をＯＮ状態とする時点から所定時間Ｔ３、リセット手段６２１ＥにＬレベルのリセット信号を主電源動作ブロック６１に出力させる構成が一般的に採用される。このような構成では、図５または図６に示すように、主電源部３１の出力電圧が主電源動作ブロック６１の動作補償電圧の最高電圧値ＶＨ以上となる状態で初期化処理が実行される有効リセット時間Ｔ４は、主電源部３１にＰＦＣ３１１や電解コンデンサ３１３が搭載された構成（図６）の方が、主電源部３１のパワーＯＮ時の出力電圧の立上りに要する時間が長くなった分だけ短くなる。このように有効リセット時間Ｔ４が確保できない状態では、主電源動作ブロック６１の初期化処理を良好に実施できない。
本実施形態では、状態切替手段により主電源部３１がスタンバイ状態からＯＮ状態に切り替えられた際に、電圧監視手段６２１Ｃが主電源部３１から主電源動作ブロック６１に供給される出力電圧を監視する。そして、状態切替規制手段６２１Ｄは、主電源部３１の出力電圧値Ｖが第２の電圧値ＶＨ以上となりかつ、第２の電圧値ＶＨ以上となった状態が所定時間以上経過するまでリセット手段６２１ＥにＬレベルのリセット信号を主電源動作ブロック６１に出力させる。このため、主電源部３１にＰＦＣ３１１や電解コンデンサ３１３が搭載され、主電源部３１のパワーＯＮ時の出力電圧の立上りに要する時間が長くなった場合であっても、主電源動作ブロック６１の有効リセット時間を良好に確保できる。すなわち、主電源動作ブロック６１の初期化処理を良好に実施できる。
【００４５】
ここで、第２の電圧値ＶＨは、主電源動作ブロック６１の動作補償電圧の最高電圧値に設定されているので、主電源部３１の出力電圧値Ｖが前記最高電圧値以上となりかつ、前記最高電圧値以上となった状態が所定時間Ｔ２（図８）以上経過するまでリセット手段６２１Ｅに主電源動作ブロック６１の初期化処理を実行させることとなる。このため、所定時間Ｔ２が有効リセット時間となり、図６に示す有効リセット時間Ｔ４と図８に示す本実施形態の有効リセット時間Ｔ２を比較すればわかるように、主電源動作ブロック６１の有効リセット時間を効果的に確保できる。すなわち、主電源動作ブロック６１の初期化処理を効率的に実施できる。
また、所定時間Ｔ２を最低限必要なリセット時間に設定しておけば、リセット時間を不要に長くすることがなく、例えば、利用者により操作部２の電源ＯＮ／ＯＦＦ操作が繰り返し実施された場合であっても、主電源動作ブロック６１の起動時間を短くでき、利用者にとって非常に使い勝手のよいものとなる。
【００４６】
ところで、利用者による操作部２の電源ＯＮ操作が実施された際に、該電源ＯＮ操作を実施した旨を利用者に報知する構成を採用することで、利用者は、電源ＯＮ操作がプロジェクタ１に判別されたことを認識し、操作部２の電源ＯＮ操作を何度も実施することがなく、利用者にとって非常に使い勝手のよいプロジェクタ１となる。例えば、主電源部３１がＯＮ状態となった時点で、電源ＯＮ操作を実施した旨を報知する構成が考えられる。しかしながら、このような構成において、状態切替規制手段６２１Ｄにて状態切替手段６２１Ｂによる主電源部３１をＯＮ状態とする動作が規制されている状態では、電源ＯＮ操作を実施した旨を利用者に報知できないこととなる。そして、利用者は、電源ＯＮ操作を実施したにも拘らず、電源ＯＮ操作を実施した旨をプロジェクタ１が報知しないため、操作部２の電源ＯＮ操作を何度も実施してしまい、プロジェクタ１の利便性の向上が図れない。
本実施形態では、報知制御手段６２１Ｆは、状態切替規制手段６２１Ｄにて状態切替手段６２１Ｂによる主電源部３１をＯＮ状態とする動作が規制されている際でも利用者による操作部２の電源ＯＮ操作が実施された場合にＬＥＤ５を駆動して電源ＯＮ操作が実施された旨を報知させるので、利用者に電源ＯＮ操作を何度も実施させることがなく、利便性の向上が図れる。
【００４７】
なお、本発明は前述の実施形態に限定されるものではなく、本発明の目的を達成できる範囲での変形、改良等は本発明に含まれるものである。
前記実施形態では、サブＣＰＵ６２１がリセット手段６２１Ｅを備えた構成を説明したが、これに限らず、リセット手段６２１Ｅを省略しても本発明の目的を十分に達成できる。
前記実施形態では、透過型の液晶パネル（液晶ライトバルブ４２）を採用していたが、これに限らず、反射型の液晶パネルを採用してもよく、あるいは、ディジタル・マイクロミラー・デバイス（テキサス・インスツルメント社の商標）を採用してもよい。
前記実施形態では、制御装置６がプロジェクタ１に搭載された構成を説明したが、これに限らず、その他の電子機器に搭載した構成を採用してもよい。
【００４８】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００４９】
本発明の電源制御装置は、主電源部から供給される電力により動作する主電源動作ブロックの動作時に不具合を生じさせることなく正常に動作させることができるため、電子機器に搭載される電源ブロックの電源制御装置として有用である。
【図面の簡単な説明】
【００５０】
【図１】本実施形態における電子機器としてのプロジェクタの概略構成を示すブロック図。
【図２】前記実施形態におけるパワーオンリセット手段の構成を模式的に示すブロック図。
【図３】前記実施形態における制御装置による電源制御方法を説明するためのフローチャート。
【図４】前記実施形態における制御装置による電源制御方法を説明するための図。
【図５】前記実施形態における効果を説明するための図。
【図６】前記実施形態における効果を説明するための図。
【図７】前記実施形態における効果を説明するための図。
【図８】前記実施形態における効果を説明するための図。
【符号の説明】
【００５１】
１・・・プロジェクタ、３・・・電源ブロック、５・・・ＬＥＤ（報知手段）、６・・・制御装置（電源制御装置）、３１・・・主電源部、３２・・・副電源部、６１・・・主電源動作ブロック、６２・・・副電源動作ブロック、６１１Ａ，６１３Ａ，６１４Ａ・・・パワーオンリセット手段、６２１・・・サブＣＰＵ（制御部）、６２１Ａ・・・切替情報取得手段、６２１Ｂ・・・状態切替手段、６２１Ｃ・・・電圧監視手段、６２１Ｄ・・・状態切替規制手段、６２１Ｅ・・・リセット手段、６２１Ｆ・・・報知制御手段、ＶＬ・・・第１の電圧値、ＶＨ・・・第２の電圧値、Ｓ８・・・状態切替情報取得ステップ、Ｓ１０・・・電圧監視ステップ、Ｓ１１，Ｓ１２・・・状態切替規制ステップ、Ｓ１３・・・状態切替ステップ。
【図１】
2006190197.tif 000003
【図２】
2006190197.tif 000004
【図３】
2006190197.tif 000005
【図４】
2006190197.tif 000006
【図５】
2006190197.tif 000007
【図６】
2006190197.tif 000008
【図７】
2006190197.tif 000009
【図８】
2006190197.tif 000010